(57)【要約】【課題】既存介護入浴槽は、成形された入浴槽で、自力入浴の困難な床上の入浴者を入浴槽まで移動させなければならない。床上の入浴者を入浴槽まで移動させる為には数人の人手が必要となる。高価格である。全体の構成が複雑である。部品数が多い。重量が重い。全体が大きい。メンテナンスが大変。運搬が困難。セッテイングが大変。等の課題がある。【解決手段】本発明に係わる床上組立式浴槽の目的を達成するために、入浴者のシーツを交換する方法と同じ方法で、防水シートを入浴者の下に敷き、防水シートの下側周囲に浴槽を形造る組み立て式骨組みを組み立て、骨組みの内側より防水シートをたくし上げ、骨組みにかぶせ、外側へ出し、下へ引き、マジックテープで固定することに依り、入浴者を移動すること無く、入浴者は浴槽内に居ることになる。また、床上組立式浴槽は、安全性・簡易な操作性・簡潔構成・製作易度・軽量化・コストダウンをすることが出来る。【選択図】    図５
2005118496.tif 000002
【特許請求の範囲】
【請求項１】
自力入浴の困難な入浴者を、入浴させるための、防水シートの浴槽と、防水シートを浴槽に形造る、組み立て式骨組みから成る、床上組立式浴槽。
【発明の詳細な説明】
【技術分野】
【０００１】本発明は自力入浴の困難な者を入浴させるときに用いて、好適な介護式浴槽に関するもので、例えば、寝たきり老人・身体不自由者・傷病者を入浴させるときは、入浴者を抱えて浴槽に入れる作業、浴槽内の入浴者をサポートする作業、入浴者の身体を洗う作業など、これらの介護入浴作業を数名の介護者で行っている。介護入浴においては入浴者の安全を確保することが最重要であり、併せて介護者の労力を軽減させることが望まれる。しかし、人力のみに依存する介護入浴の場合は、入浴者の安全確保を優先させるため介護者の負担が大きくなり、不測の事故に対する備えも十分でない。これを改善するための床上組立式浴槽は、寝たままの入浴者のシーツを交換する方法と同じ方法で、防水シートを入浴者の下に敷き、防水シートの下側周囲に浴槽を形造る組み立て式骨組みを組み立て、骨組みの内側より防水シートをたくし上げ、骨組みにかぶせ、外側へ出し、下へ引きマジックテープで固定することに依り、入浴者を移動すること無く、入浴者は浴槽内に居ることになる。したがって、この入浴法によるときは入浴者の安全確保・介護者の負担軽減・介護者数の削減などをはかることができる、床上組立式浴槽である。
【背景技術】
【０００２】
【特許文献１】  特開平８−１６４１７８
【特許文献２】  特開２００２−２５３６３５
【発明の開示】
【発明が解決しようとする課題】
【０００３】公知技術の既存入浴槽は、次のような課題を残している。
▲１▼  成形された入浴槽で、床上の入浴者を入浴槽まで移動させなければならない。
▲２▼  床上の入浴者を入浴槽まで移動させる為には数人の人手が必要となる。
▲３▼  高価格である。
▲４▼  全体の構成が複雑である。
▲５▼  部品数が多い。
▲６▼  重量が重い。
▲７▼  全体が大きい。
▲８▼  メンテナンスが大変。
▲９▼  運搬が困難。
▲１０▼  セッテイングが大変。【０００４】［発明の目的］本発明はこのような技術的課題を鑑み、安全性・簡易な操作性・簡潔構成・製作易度・軽量化・コストダウンなどをはかることのできる、床上組立式浴槽を提供しよとするものである。
【課題を解決するための手段】
【０００５】本発明に係わる床上組立式浴槽の目的を達成するために、入浴者のシーツを交換する方法と同じ方法で、防水シートを入浴者の下に敷き、防水シートの下側周囲に浴槽を形造る組み立て式骨組みを組み立て、骨組みの内側より防水シートをたくし上げ、骨組みにかぶせ、外側へ出し、下へ引き、マジックテープで固定することに依り、入浴者を移動すること無く、入浴者は浴槽内に居ることになる。
【発明の効果】
【０００６】本発明に係わる床上組立式浴槽は、安全性・簡易な操作性・簡潔構成・製作易度・軽量化・コストダウンに関して次のような効果を有する。
［効果１］浴槽となる防水シートは突起物がないので安全で取り扱いやすく、入浴者・介護者を負傷させるおそれがない。
［効果２］浴槽の内壁は成形された硬い物と違い、柔らかいシート状なので入浴者に心地よさと安心感を与える事ができる。
［効果３］固定用の内側マジックテープが長いので、頭部を湯水面より高くするために、胴体部より、頭部のシートを、更にたくし上げ、適所の高さ位置に固定する事ができる。
［効果４］既存入浴槽は、高価格である。これに比べ、今回の床上組立式浴槽は低価格である。
［効果５］既存入浴槽は、全体の構成が複雑である。これに比べ、今回の床上組立式浴槽は、全体の構成が簡単である。
［効果６］既存入浴槽は、部品数が多い。これに比べ、今回の床上組立式浴槽は、部品数が少ない。
［効果７］既存入浴槽は、重量が重い。これに比べ、今回の床上組立式浴槽は、重量が軽い。
［効果８］既存入浴槽は、全体が大きい。これに比べ、今回の床上組立式浴槽は、全体が小さい。
［効果９］既存入浴槽は、メンテナンスが大変。これに比べ、今回の床上組立式浴槽は、メンテナンスが簡単。
［効果１０］既存入浴槽は、運搬が困難。これに比べ、今回の床上組立式浴槽は、組み立て式のため運搬が容易。
［効果１１］既存入浴槽は、セッテイングが大変。これに比べ、今回の床上組立式浴槽は、部品が軽くセッテイングがが簡単。
【発明を実施するための最良の形態】
【０００７】本発明に係る床上組立式浴槽は、下記のような手順で、自力入浴の困難な者を入浴させ、かつ、湯上りさせる。入浴に際しては、はじめに、床上組立式浴槽は、寝たままの入浴者のシーツを交換する方法と同じ方法で、防水シートを入浴者の下に敷き、防水シートの下側周囲に浴槽を形造る、組み立て式骨組みを組み立て、骨組みの内側より防水シートをたくし上げ、骨組みにかぶせ、外側へ出し、下へ引き、マジックテープで固定する。頭部を湯水面より高くするために、胴体部はそのまま床の上の状態で、頭部のシートを更にたくし上げ、頭部を適所の高さ位置に固定する。このようにすると、入浴者は、床上より浴槽へ移動すること無く、シーツ替えと同じ動作で、入浴者は浴槽内に居ることになる。この段階に至ったとき、介護者は浴槽内で入浴者の身体を洗い清めるための各種の作業を行う。湯上りに際しては、湯水を汲み上げ、水滴をタオルで取り除いた後に、組み立て式骨組みを分解し、シーツを交換する方法と同じ方法で、防水シートを入浴者の下より、取り除き、元のシーツを戻し完了となる。
【実施例】
【０００８】はじめに、本発明に係る床上組立式浴槽の実施例として図１〜図６に例示されたものを説明する。図１は浴槽を成形させるための骨組み。図２はマジックテープ付き防水シート７。図３は防滴防水シート６。図４は骨組み２、３ａ、３ｂ、にマジックテープ付き防水シート７をマジックテープ８ａ，８ｂ，８ｃ，８ｄ，で固定した図。図５は床上に床上組立式浴槽を組み立てた、側面図。図６は床上に床上組立式浴槽を組み立てた、正面図。を示している。【０００９】図３の防滴防水シート６と、図２のマジックテープ付き防水シート７を、シーツ替えと同じ動作で防水シート６，７、を入浴者の下に敷き、（６の防水シートは防滴用として下側へ敷く）防水シート７、の下側周囲に浴槽を形造る組み立て式骨組み１〜５、を組み立て、骨組みの内側より防水シート７、をたくし上げ、骨組みにかぶせ、外側へ出し、下へ引き、マジックテープで固定する【００１０】図５の様に、頭部を湯水面より高くするために、胴体部はそのまま床の上の状態で、頭部のシート７、を更にたくし上げ、頭部を適所の高さ位置に固定する。【００１１】湯水を適位の位置まで給湯し、介護者は浴槽内で入浴者の身体を洗い清めるための各種の作業を行う。【００１２】清め作業終了後、湯上りに際しては、湯水を汲み上げ、水滴をタオルで取り除いた後に組み立て式骨組み１〜５、を分解し、シーツを交換する方法と同じ方法で、防水シート６、７、を入浴者の下より、取り除き、元のシーツを戻し完了となる。
【産業上の利用可能性】
【００１３】今までに無い、新しい商品開発の床上組立式浴槽は、安全性・簡易な操作性・簡潔構成・製作易度・軽量化・コストダウンが出来るため、これからの高齢化社会に需要が高まるものと思われる。この様な事から産業界もこの新しい商品に対して生産性を高める必性があると思われる。
【図面の簡単な説明】
【００１４】
【図１】本発明に係る床上組立式浴槽の浴槽を形造る組み立て式骨組みの斜視図である。
【図２】浴槽となるマジックテープ付き防水シートの斜視図である。
【図３】浴槽内で入浴者の身体を洗い清めるための各種の作業をする時に、槽外に落ちる水滴を受け止める、防滴防水シートの斜視図である。
【図４】骨組み２、３ａ、３ｂ、にマジックテープ付き防水シート７をマジックテープ８ａ，８ｂ，８ｃ，８ｄ，で固定した断面図である。
【図５】床上に床上組立式浴槽を組み立てた、側面図である。
【図６】床上に床上組立式浴槽を組み立てた、正面図である。
【符号の説明】
１                      床上組立式浴槽の浴槽を形造る組み立て式骨組みの脚。
２                      床上組立式浴槽の浴槽を形造る組み立て式骨組みの側骨。
３ａ・３ｂ              床上組立式浴槽の浴槽を形造る組み立て式骨組みの側骨。
４                      床上組立式浴槽の浴槽を形造る組み立て用継ぎ手
５                      床上組立式浴槽の浴槽を形造る組み立て用継ぎ手
６                      防滴用防水シート
７                      マジックテープ付き防水シート
８ａ・８ｂ・８ｃ・８ｄ  マジックテープ
９                      床（敷布団）
【図１】
2005118496.tif 000003
【図２】
2005118496.tif 000004
【図３】
2005118496.tif 000005
【図４】
2005118496.tif 000006
【図５】
2005118496.tif 000007
【図６】
2005118496.tif 000008